(57)【要約】【課題】  制御手段及びプリント配線板を共用としながらも、鳴動回路に応じた適切な駆動信号を制御手段が確実に出力するブザー鳴動装置を提供する。【解決手段】  第１の鳴動回路１と第２の鳴動回路２とのいずれがプリント配線板に実装されているかを検出するとともに検出された鳴動回路１，２を駆動する駆動信号を生成する制御手段としてのマイコン３を備える。マイコン３が、第１の鳴動回路１と第２の鳴動回路２とのいずれがプリント配線板に実装されているかを検出し、検出結果に応じて自動的に駆動信号を選択することにより、鳴動回路１，２に応じた適切な駆動信号を確実に出力する。【選択図】図１
2006039232.tif 000002
【特許請求の範囲】
【請求項１】
それぞれブザー並びにブザーを駆動する駆動回路からなる複数種類の鳴動回路のうち１種類の鳴動回路を選択して実装可能なプリント配線板と、
プリント配線板にいずれの鳴動回路が実装されているかを検出するとともに、検出された鳴動回路の駆動回路を駆動する駆動信号を生成する制御手段とを備えることを特徴とするブザー鳴動装置。
【請求項２】
プリント配線板に実装される鳴動回路は２種類から選択され、
プリント配線板に一方の鳴動回路が実装されているときは他方の鳴動回路が実装されているときよりも起動時の電位が高くなる検出点をプリント配線板に有し、
制御手段は、起動時に検出点の電位を検出し、検出された電位に応じた駆動信号を生成することを特徴とする請求項１記載のブザー鳴動装置。
【請求項３】
制御手段はマイコンからなり、制御手段において、起動時に検出点の電位が入力されるポートと、駆動信号を出力するポートとを共通としたことを特徴とする請求項２記載のブザー鳴動装置。
【発明の詳細な説明】
【技術分野】
【０００１】
本発明は、ブザーを鳴動させるブザー鳴動装置に関するものである。
【背景技術】
【０００２】
従来から、センサの出力やスイッチの操作に応じてブザーを鳴動させるブザー鳴動装置が、防災や防犯のために用いられている（例えば、特許文献１参照）。
【０００３】
この種のブザー鳴動装置には、防災など大きな音量が要求される用途と、ナースコールなど特に大きな音量は必要無いが使用される場所や呼出の種類に応じた音質が要求される用途とがある。そして、上記のような異なる用途に用いられる複数種類のブザー鳴動装置において、それぞれブザーとブザーを駆動する駆動回路とからなる複数種類の鳴動回路が実装可能なように導電パターンが形成されたプリント配線板と、複数種類の鳴動回路に対応した複数種類の駆動信号を出力可能なマイコンのような制御手段とを用いることにより、プリント配線板と制御手段とを共用可能として製造コストを低減することが提案されている。
【０００４】
従来は、制御手段が出力する駆動信号を手動で選択するためのスイッチを設け、プリント配線板に実装された鳴動回路に応じてスイッチを切り替えていた。
【特許文献１】特開２００４−１５１１８０号公報
【発明の開示】
【発明が解決しようとする課題】
【０００５】
しかし、スイッチの設定を誤ると、適切な駆動信号が出力されないために要求される音質や音量を得ることができないという問題があった。
【０００６】
本発明は上記事由に鑑みて為されたものであり、その目的は、制御手段及びプリント配線板を共用としながらも、鳴動回路に応じた適切な駆動信号を制御手段が確実に出力するブザー鳴動装置を提供することにある。
【課題を解決するための手段】
【０００７】
請求項１の発明は、それぞれブザー並びにブザーを駆動する駆動回路からなる複数種類の鳴動回路のうち１種類の鳴動回路を選択して実装可能なプリント配線板と、プリント配線板にいずれの鳴動回路が実装されているかを検出するとともに、検出された鳴動回路の駆動回路を駆動する駆動信号を生成する制御手段とを備えることを特徴とする。
【０００８】
この発明によれば、制御手段及びプリント配線板を共用とすることができる。また、プリント配線板に実装されている鳴動回路を制御手段が検出するので、スイッチを用いて手動で選択する場合と異なり設定ミスのおそれがなく、制御手段は鳴動回路に応じた適切な駆動信号を確実に出力する。
【０００９】
請求項２の発明は、請求項１の発明において、プリント配線板に実装される鳴動回路は２種類から選択され、プリント配線板に一方の鳴動回路が実装されているときは他方の鳴動回路が実装されているときよりも起動時の電位が高くなる検出点をプリント配線板に有し、制御手段は、起動時に検出点の電位を検出し、検出された電位に応じた駆動信号を生成することを特徴とする。
【００１０】
この発明によれば、比較的に簡易な構成で鳴動回路を検出することができる。
【００１１】
請求項３の発明は、請求項２の発明において、制御手段はマイコンからなり、制御手段において、起動時に検出点の電位が入力されるポートと、駆動信号を出力するポートとを共通としたことを特徴とする。
【００１２】
この発明によれば、起動時に検出点の電位が入力されるポートと、駆動信号を出力するポートとを別にする場合に比べ、マイコンに必要なポート数が減少する。したがって、ポート数の少ない安価なマイコンを用いて製造コストを低減することや、マイコンの余ったポートを別の目的に用いることができる。
【発明の効果】
【００１３】
本発明は、プリント配線板にいずれの鳴動回路が実装されているかを検出するとともに検出された鳴動回路の駆動回路を駆動する駆動信号を生成する制御手段を備えるので、制御手段及びプリント配線板を共用とすることができる。また、プリント配線板に実装されている鳴動回路を制御手段が検出するので、スイッチを用いて手動で駆動信号を選択する場合と異なり設定ミスのおそれがなく、制御手段は鳴動回路に応じた適切な駆動信号を確実に出力する。
【発明を実施するための最良の形態】
【００１４】
以下、本発明を実施するための最良の形態について、図面を参照しながら説明する。
【００１５】
本実施形態は、図１に示すように、大音量を出力可能な自励振型の第１の圧電ブザーＢＺ１を有する第１の鳴動回路１と、音質を変更可能な他励振型の第２の圧電ブザーＢＺ２を有する第２の鳴動回路２との一方が選択的に実装可能な導電パターンが形成されたプリント配線板（図示せず）を有するブザーブロックＢＢと、鳴動回路に駆動信号を出力する制御手段としてのマイコン３を有する制御ブロックＣＢとからなる。また、制御ブロックＣＢは、マイコン３に供給される電源と、ブザーブロックＢＢの電源端子Ｔ１（図２参照）を通じて第１の鳴動回路１又は第２の鳴動回路２に供給される例えば１２Ｖの電源とをそれぞれ生成する電源回路４を備える。
【００１６】
図２に示すように、第１の駆動回路１の第１の圧電ブザーＢＺ１は、フィードバック電極Ｆが抵抗Ｒ１を介して電源に接続され、メイン電極Ｍが抵抗Ｒ２を介して電源に接続され、振動板電極Ｇが制御用トランジスタＤＴ１を介してグランドに接続される。また、第１の駆動回路１は、第１の圧電ブザーＢＺ１のメイン電極Ｍと振動板電極Ｇとの間に接続されベースが抵抗Ｒ３と抵抗Ｒ１とを介して電源に接続されたトランジスタＱ１を備える。上記のように構成された第１の鳴動回路１は、制御用トランジスタＤＴ１のベースにベース・エミッタ電圧以上の電圧が加えられている間、第１の圧電ブザーＢＺ１の充電、トランジスタＱ１のオン、第１の圧電ブザーＢＺ１の放電、トランジスタＱ１のオフ、第１の圧電ブザーＢＺ１の充電…が繰り返されることにより、第１の圧電ブザーＢＺ１が大音量で鳴動するものである。
【００１７】
第２の鳴動回路２の第２の圧電ブザーＢＺ２は、一方の端子が電源に接続されるとともに他方の端子がｎｐｎ型のトランジスタＤＴ３を介してグランドに接続されている。また、第２の鳴動回路２は、エミッタが抵抗Ｒ４を介して電源に接続されるとともにコレクタが制御用トランジスタＤＴ２のベースに接続されたｐｎｐ型の制御用トランジスタＤＴ２と、第２の圧電ブザーＢＺ２の両端間に接続された抵抗Ｒ５と、制御用トランジスタＤＴ２のエミッタの電位を一定に保つツェナーダイオードＺＤ１とを備える。上記のように構成された第２の鳴動回路２は、制御用トランジスタＤＴ２のベースに入力した交流信号の周波数に応じた音を第２の圧電ブザーＢＺ２に発生させることができるものである。
【００１８】
また、ブザーブロックＢＢは、第１の鳴動回路１の制御用トランジスタＤＴ１のベース又は第２の鳴動回路２の制御用トランジスタＤＴ２のベースに接続される制御端子Ｔ３と、ブザーを停止させる出力のためのブザー停止端子Ｔ５と、制御ブロックＣＢとグランドを共有するためのグランド端子Ｔ６とを有する。制御端子Ｔ３とブザー停止端子Ｔ５とグランド端子Ｔ６とはそれぞれ制御ブロックＣＢのマイコン３に接続される。ブザー停止端子Ｔ５とグランドとの間には、切替スイッチからなり一方の接点をハイインピーダンスとした第１の停止スイッチＳＷ１と、ａ接点のスイッチからなる第２の停止スイッチＳＷ２とが互いに並列に接続されていて、マイコン３は、ブザー停止端子Ｔ５がハイインピーダンスとなっているときのみ後述する通常の動作を行い、ブザー停止端子Ｔ５がローインピーダンスとなっているときには駆動信号を出力させないようになっている。すなわち、第１の停止スイッチＳＷ１と第２の停止スイッチＳＷ２との一方を閉じれば、圧電ブザーＢＺ１，ＢＺ２は鳴動しない。
【００１９】
ここで、プリント配線板の導電パターンにおいて、第１の鳴動回路１の制御用トランジスタＤＴ１のベース又は第２の鳴動回路２の制御用トランジスタＤＴ２のベースに電気的に接続される点を検出点Ａとすると、電源投入直後は、第１の鳴動回路１が実装されているときには検出点Ａは第１の鳴動回路１の制御用トランジスタＤＴ１のバイアス抵抗を介してグランドに接続されるから検出点Ａの電位は０Ｖとなり、第２の鳴動回路２が実装されているときは検出点Ａは第２の鳴動回路２の制御用トランジスタＤＴ２のバイアス抵抗を介してツェナーダイオードＺＤ１のカソード側に接続されるから検出点Ａの電位はツェナーダイオードＺＤ１のツェナー電圧となる。つまり、制御端子Ｔ３はプリント配線板上の検出点Ａに接続されている。
【００２０】
また、ブザーブロックＢＢは、電源表示端子Ｔ２を備え、電源表示端子Ｔ２とグランドとの間には発光ダイオードＬＤが接続されている。電源が投入されている間は、電源回路４によって生成され電源表示端子Ｔ２を介して供給された電源により発光ダイオードＬＤが点灯する。
【００２１】
本実施形態は、例えばビルの給水槽の水位の異常な上昇や低下を検知する水位異常検知器の集中監視システムや、機器類の異常・故障検知器の集中監視システムや、ナースコールの集中監視システムにおける受信器に用いられる。水位異常検知器の集中監視システムや異常・故障検知器の集中監視システムに用いられる場合には大音量を出力可能な第１の鳴動回路１がプリント配線板に実装され、ナースコールの集中監視システムでは聞く者にストレスを与えにくい音質を選択可能な第２の鳴動回路２がプリント配線板に実装される。受信器は、例えば図３に示すように、一面が開放された長方体形状の本体部５１と本体部５１の一端部にヒンジ部を介して連結され本体部５１を開閉自在に閉塞する蓋部５２とからなるハウジング５を備える。ブザーブロックＢＢを収納したブザーケース６１は蓋部５２に保持され、制御ブロックＣＢを収納した制御ケース６２は本体部５１に保持され、ブザーブロックＢＢと制御ブロックＣＢとは電線７を介して電気的に接続されている。また、蓋部５２には、それぞれ複数のランプが収納されランプの光をハウジング５の外側へ導出する複数の窓部が設けられた２個の表示ケース８が保持されている。水位異常検知器の集中監視システムを例に挙げて説明すると、受信器は複数の給水槽にそれぞれ設けられた水位異常検知器（図示せず）に接続され、ランプは予め水位異常検知器に一対一に対応付けられていて、給水槽の水位の異常な上昇や低下（以下、「異常」と呼ぶ。）がいずれかの水位異常検知器に検知されると、受信器は、どの水位異常検知器に異常が検出されたかを表示ケース８のランプの点灯によって報知するとともに、圧電ブザーＢＺ１，ＢＺ２を鳴動させるようになっている。ここで、ブザーブロックＢＢは、図２に示すようにランプチェック端子Ｔ４と、ａ接点スイッチからなりランプチェック端子Ｔ４とグランドとの間に接続されたランプチェックスイッチＳＷ３とを備える。ランプチェックスイッチＳＷ３を閉じると、水位異常検知器の動作に関わり無く表示ケース８内のランプが点灯し、ランプの動作確認をすることができるようになっている。
【００２２】
次に、図４のフローチャートを用いて本実施形態のマイコン３の動作を説明する。
【００２３】
電源が投入されると（Ｓ１）、マイコン３は制御端子Ｔ３の電位を検出し、ツェナーダイオードＺＤ１のツェナー電圧と０Ｖとの間に設定された所定の閾値と検出された電位とを比較する（Ｓ２）。そして、ステップＳ２において検出された電位が閾値よりも小さかったときには、マイコン３はプリント配線板に第１の鳴動回路１が実装されていると判定し、後に出力する駆動信号としては第１の鳴動回路１に対応した第１の駆動信号を選択する（Ｓ３）。他方、ステップＳ２において検出された電位が閾値よりも大きかったときには、マイコン３はプリント配線板に第２の鳴動回路２が実装されていると判定し、後に出力する駆動信号としては第２の鳴動回路２に対応した第２の駆動信号を選択する（Ｓ４）。
【００２４】
その後は、所定の警報信号が入力されるまでは待機し（Ｓ５）、警報信号が入力されれば、警報信号が終了するまでの期間はステップＳ３又はＳ４で選択された駆動信号を制御端子Ｔ３へ出力する（Ｓ６，Ｓ７）。警報信号は、例えば、水位異常検知器の集中監視システムにおいてはいずれかの水位異常検知器に異常が検知されたことを示す信号であり、ナースコールの集中監視システムにおいてはいずれかの病室において呼び出しがあったことを示す信号である。そして、警報信号が終了したときは駆動信号の出力を停止し（Ｓ８）再びステップＳ５に戻る。ここで、マイコン３において、起動時に制御端子Ｔ３の電位が入力されるポートと、駆動信号を出力するポートとは共通としてある。この構成により、起動時に制御端子Ｔ３の電位が入力されるポートと、駆動信号を出力するポートとを別にする場合に比べ、マイコン３に必要なポート数が減少する。したがって、ポート数の少ない安価なマイコンを用いて製造コストを低減することができる。又は、マイコンの余ったポートを別の目的に用いることができる。
【００２５】
上記構成によれば、互いに異なる鳴動回路１，２を備える２種類のブザー鳴動装置において、マイコン３とプリント配線板とを共用とすることができる。また、プリント配線板に実装されているのが第１の鳴動回路１か第２の鳴動回路２かをマイコン３が判定し駆動信号を自動的に選択するので、スイッチを用いて手動で駆動信号を選択する場合と異なり設定ミスのおそれがなく、マイコン３が適切な駆動信号を確実に出力する。
【図面の簡単な説明】
【００２６】
【図１】本発明の実施形態を示すブロック図である。
【図２】同上のブザーブロックを示す回路図である。
【図３】同上が用いられる受信器を示す斜視図であり、（ａ）は蓋部を閉じた状態を示し、（ｂ）は蓋部を開いた状態を示す。
【図４】同上のマイコンの動作を示すフローチャートである。
【符号の説明】
【００２７】
１  第１の鳴動回路
２  第２の鳴動回路
３  マイコン
【図１】
2006039232.tif 000003
【図２】
2006039232.tif 000004
【図３】
2006039232.tif 000005
【図４】
2006039232.tif 000006